(57)【特許請求の範囲】
【請求項１】
遊技盤の前面側から視認される図柄を表示する表示体と、
前記遊技盤の背面側に取付けられ、前記表示体を収容する四角形状の表示体ケースと、
前記表示体の表示を制御する表示制御基板と、
前記表示体ケースの背面側に取付けられ、前記表示制御基板を収容する四角形状の表示制御基板ケースと、を備える弾球遊技機において、
前記表示体ケースは、
該表示体ケースの左右両側面に前記遊技盤の背面と直交し該背面から離れる方向に延出して設けられる一対の腕部と、
前記一対の腕部の各々の先端内側に設けられる突起と、
該表示体ケースの背面下部に設けられる表示体ケース側ストッパと、を含んで構成され、
前記表示制御基板ケースは、
該表示制御基板ケースの左右両側面に設けられ前記突起が遊嵌されるスライド溝と、
該表示制御基板ケースの背面下部に設けられる表示制御基板ケース側ストッパと、を含んで構成され、
前記突起が前記スライド溝に遊嵌された状態にあるときには、前記表示体ケースと前記表示制御基板ケースとが連結状態となり、
前記連結状態において、前記表示制御基板ケースの前面下部が前記表示体ケース側ストッパに接触しているときには、前記表示制御基板ケースは、その前面が前記表示体ケースの背面と正対する起立位置に保持され、
前記起立位置から、前記突起が前記スライド溝内を移動する範囲内で前記表示制御基板ケースを上方に移動させて、前記表示制御基板ケースの前面下部と前記表示体ケース側ストッパとの接触を解くと、前記表示制御基板ケースが前記スライド溝内の前記突起を軸として垂直方向に揺動可能となり、
前記揺動可能な状態から、前記表示制御基板ケースをその前面が前記表示体ケースの背面から離れる方向に揺動させて、前記表示制御基板ケース側ストッパが前記表示体ケース側ストッパに接触すると、前記表示制御基板ケースは、その前面が前記表示体ケースの背面に対して垂直となる姿勢に倒れた倒伏位置に保持される
ことを特徴とする弾球遊技機。
【請求項２】
前記倒伏位置に保持された前記表示制御基板ケースを、前記表示体ケースの背面から離れる水平方向に移動させると、前記突起が前記スライド溝内を移動して該スライド溝から離脱して、前記表示制御基板ケースが前記表示体ケースから分離される
ことを特徴とする請求項１に記載の弾球遊技機。
【発明の詳細な説明】
【０００１】
【発明の属する技術分野】
本発明は、弾球遊技機の技術分野に属する。
【０００２】
【従来の技術】
従来の弾球遊技機には、例えば大当たりの表示を行うための表示装置を装備したものが多い。
液晶ディスプレイ（ＬＣＤ）やブラウン管（ＣＲＴ）ディスプレイ等を表示体として備えた表示装置には、表示体とその表示体の表示を制御する表示制御基板とを一つのケース内で通電可能に接続し、表示制御基板をケースの外面側に装着された中継基板に接続したものがある。また、ドットマトリクス式の表示装置においては、発光源を表示基板に実装してなる表示体とＣＰＵ等を実装した表示制御基板とを備えたものがある。そして、これらの表示装置では、表示制御基板は一般に表示体の背後に配置される。
【０００３】
【発明が解決しようとする課題】
ところで、表示装置の小型化や構成の簡略化の為に、表示制御基板を表示体にねじ止めして両者を一体化させることが考えられる。しかし、表示制御基板と表示体のいずれか一方のみを交換する場合には、表示制御基板と表示体とを工具を用いて分離する作業が必要となり、作業工数が大となる。特に、表示制御基板と表示体とが一つの共通のケースに収容されている場合には、ケースを取り外す作業が必要となる。また、ドットマトリクス式の表示装置では、同型式の表示制御基板を異機種間で共用することが比較的容易なため、表示制御基板と表示体とのうちの一方のみの交換が要求されることがある。
【０００４】
さらに、表示制御基板が表示体とともにケースに収容されたものや、表示制御基板が実装面を表示体の側に向けて隠した状態で装着されたものにあっては、実装面を単に目視検査するだけを目的とする場合であっても工具を用いた分解あるいは分離作業が必要となる。
【０００５】
また、第三者により、例えば表示制御基板と表示体との間に不正電子回路基板等が介装された場合には、表示制御基板及び表示体間の部位の目視が容易でなければ、不正が発見され難い。特に、ドットマトリクス式の表示装置においては、表示基板及び表示制御基板を収容するケースが簡略化あるいは省略される場合があり、このような場合はＬＣＤやＣＲＴ等に比べて不正物品の介装が容易になると考えられる。
【０００６】
本発明は、こうした問題に対処することを目的としている。
【０００７】
【課題を解決するための手段および発明の効果】
上記課題を解決するための請求項１記載の弾球遊技機は、
遊技盤の前面側から視認される図柄を表示する表示体と、
前記遊技盤の背面側に取付けられ、前記表示体を収容する四角形状の表示体ケースと、
前記表示体の表示を制御する表示制御基板と、
前記表示体ケースの背面側に取付けられ、前記表示制御基板を収容する四角形状の表示制御基板ケースと、を備える弾球遊技機において、
前記表示体ケースは、
該表示体ケースの左右両側面に前記遊技盤の背面と直交し該背面から離れる方向に延出して設けられる一対の腕部と、
前記一対の腕部の各々の先端内側に設けられる突起と、
該表示体ケースの背面下部に設けられる表示体ケース側ストッパと、を含んで構成され、
前記表示制御基板ケースは、
該表示制御基板ケースの左右両側面に設けられ前記突起が遊嵌されるスライド溝と、
該表示制御基板ケースの背面下部に設けられる表示制御基板ケース側ストッパと、を含んで構成され、
前記突起が前記スライド溝に遊嵌された状態にあるときには、前記表示体ケースと前記表示制御基板ケースとが連結状態となり、
前記連結状態において、前記表示制御基板ケースの前面下部が前記表示体ケース側ストッパに接触しているときには、前記表示制御基板ケースは、その前面が前記表示体ケースの背面と正対する起立位置に保持され、
前記起立位置から、前記突起が前記スライド溝内を移動する範囲内で前記表示制御基板ケースを上方に移動させて、前記表示制御基板ケースの前面下部と前記表示体ケース側ストッパとの接触を解くと、前記表示制御基板ケースが前記スライド溝内の前記突起を軸として垂直方向に揺動可能となり、
前記揺動可能な状態から、前記表示制御基板ケースをその前面が前記表示体ケースの背面から離れる方向に揺動させて、前記表示制御基板ケース側ストッパが前記表示体ケース側ストッパに接触すると、前記表示制御基板ケースは、その前面が前記表示体ケースの背面に対して垂直となる姿勢に倒れた倒伏位置に保持される
ことを特徴とする。
請求項１記載の弾球遊技機では、表示体ケースは、表示体ケースの左右両側面に遊技盤の背面と直交し該背面から離れる方向に延出して設けられる一対の腕部と、一対の腕部の各々の先端内側に設けられる突起と、表示体ケースの背面下部に設けられる表示体ケース側ストッパと、を含んで構成される。
また、表示制御基板ケースは、表示制御基板ケースの左右両側面に設けられ前記突起が遊嵌されるスライド溝と、該表示制御基板ケースの背面下部に設けられる表示制御基板ケース側ストッパと、を含んで構成され、前記突起が前記スライド溝に遊嵌された状態にあるときには、前記表示体ケースと前記表示制御基板ケースとが連結状態となり、
前記連結状態において、前記表示制御基板ケースの前面下部が前記表示体ケース側ストッパに接触しているときには、前記表示制御基板ケースは、その前面が前記表示体ケースの背面と正対する起立位置に保持され、
前記起立位置から、前記突起が前記スライド溝内を移動する範囲内で前記表示制御基板ケースを上方に移動させて、前記表示制御基板ケースの前面下部と前記表示体ケース側ストッパとの接触を解くと、前記表示制御基板ケースが前記スライド溝内の前記突起を軸として垂直方向に揺動可能となり、
前記揺動可能な状態から、前記表示制御基板ケースをその前面が前記表示体ケースの背面から離れる方向に揺動させて、前記表示制御基板ケース側ストッパが前記表示体ケース側ストッパに接触すると、前記表示制御基板ケースは、その前面が前記表示体ケースの背面に対して垂直となる姿勢に倒れた倒伏位置に保持される
ので、表示体ケースすなわち表示体と表示制御基板ケースすなわち表示制御基板とを簡単に離間でき、しかも、その際に工具等を用いる必要もない。また、表示制御基板の実装面の目視検査も、工具を用いずに簡単に行えるし、表示制御基板と表示体間に不正物品が介装されても、その不正物品を容易に発見できる。
【０００８】
請求項２に記載の弾球遊技機は、前記倒伏位置に保持された前記表示制御基板ケースを、前記表示体ケースの背面から離れる水平方向に移動させると、前記突起が前記スライド溝内を移動して該スライド溝から離脱して、前記表示制御基板ケースが前記表示体ケースから分離されることを特徴とする請求項１に記載の弾球遊技機である。このように構成すると、例えば表示制御基板と表示体のいずれか一方のみを交換する場合の分離作業も簡単で、作業工数を大幅に低減できる。
【０００９】
【発明の実施の形態】
次に、本発明の実施例を図面を参照して説明することにより、発明の実施の形態を具体的に説明する。
【００１０】
【実施例】
図１に示すように、弾球遊技機としてのパチンコ機２０は、機枠２１にヒンジ２２ａ、２２ｂで枢支された前面枠２３を備えており、前面枠２３にて遊技盤２４を保持している。
【００１１】
遊技盤２４の前面は、前面枠２３に開閉自在に支持されているガラス枠２５に保持されたガラス板２６にて覆われている。遊技盤２４のすぐ下側には、図示しないヒンジにより前面枠２３に開閉自在に支持される上受皿２７が配され、上受皿２７の左下側には、遊技状態に応じた効果音を発生させるスピーカ２８が配されている。前面枠２３には、上受皿２７の下方に下受皿２９が固定され、下受皿２９の右側には、図示省略する遊技球発射装置を操作するための発射ハンドル３０が取付けられている。また、パチンコ機２０には、プリペイドカードの読み書き等を行うカードリーダユニット（ＣＲユニット）３１が付属している。
【００１２】
図１及び図２に示すように、遊技盤２４には、発射された打球を誘導するための円弧状の誘導レール３２ａ、３２ｂが取付けられ、これら誘導レール３２ａ、３２ｂで区画された内側の領域が遊技領域３３とされている。遊技領域３３のほぼ中央には、武家屋敷を模した外観のセンター役物３４が配されている。
【００１３】
なお、遊技領域３３には、センター役物３４の他に各種の入賞装置、風車、障害釘等が配設されているが、これらは公知のものと変わるところはないので説明は省略する。
図２及び図３に示すように、センター役物３４の中央部には、表示装置３５の表示体３６が露呈され、その下方には、４個の保留ランプ３７が配され、さらに、下方には、後側通路３８及びステージ３９が配されている。また、センター役物３４の左右部分は振分部４０とされ、その屋根部分に設けられている入球口４１から流入した遊技球を後側通路３８またはステージ３９に振分け、誘導する。後側通路３８に誘導された遊技球は、その中央部に設けられている凹み３８ａからステージ３９上に流出する。ステージ３９上に移動してきた遊技球は、ステージ３９の落下凹部３９ａから落下する。
【００１４】
図４に示すように、パチンコ機２０の背面側には、裏機構盤４２が配されている。裏機構盤４２の機構盤本体４３は前面枠２３に取付けられており、機構盤本体４３に裏カバー部材４４が開閉可能に取付けられている。詳しくは、図４及び図５に示すように、機構盤本体４３に設けられた軸受４５ａ、４５ｂに裏カバー部材４４のヒンジ軸４６ａ、４６ｂが挿通されて構成されるヒンジ４７ａ、４７ｂによって裏カバー部材４４が機構盤本体４３に開閉自在に連結され、ヒンジ４７ａ、４７ｂと反対側に設けられているロック機構４８にてロックされている。このロック機構４８は、図６及び図７に示されるように、ロックピン４８ａを押し込んだ際には、ロックピン４８ａの先端にて弾性爪４８ｂを内側から外側に押し広げることでロックされ、ロックピン４８ａを引くと、弾性爪４８ｂが内側に復帰してロックが解除される構造である。
【００１５】
図４〜７及び図９〜１１に示すように、裏カバー部材４４には、表示制御基板保持手段に該当する表示制御基板ケース５０が取付けられている。
なお、図４ではカードリーダユニットの図示が省略されている。
図８に示すように、表示制御基板ケース５０は、半透明プラスチック製の外側カバー部５１と透明プラスチック製の内側カバー部５２とからなり、それらの間に表示制御基板５３が収容される。表示制御基板５３の四隅には、それぞれ貫通穴５４が設けられ、外側カバー部５１及び内側カバー部５２には、各貫通穴５４に対応してビス穴５６、５７が設けられている。そして、内側カバー部５２のビス穴５７から挿通したビス（図示略）を貫通穴５４を貫通させて外側カバー部５１のビス穴５６に螺合することにより、外側カバー部５１と内側カバー部５２とを連結し、その内部に表示制御基板５３を収容している。
【００１６】
図８及び図１０に示すように、外側カバー部５１の一方の縦辺に沿って軸保持部５８が設けられており、その上下からヒンジ軸６０、６１が突出している。一方、図１０に示すように、裏カバー部材４４には、上のヒンジ軸６０を挿通させる上軸受６３と、支持部６４、規制部６５並びに弾性爪６６からなる下軸受６７とが設けられている。表示制御基板ケース５０を裏カバー部材４４に取付けるには、まず、外側カバー部５１を傾けながら、上のヒンジ軸６０を上軸受６３の受穴６３ａに挿通させる。次に、下のヒンジ軸６１を弾性爪６６と規制部６５との間に押し込み、弾性爪６６を弾性変形させてヒンジ軸６１を支持部６４に載置する。そして、ヒンジ軸６１が通過したなら、弾性爪６６が弾性復帰してヒンジ軸６１を係止するとともに、その他の方向への移動は支持部６４の壁６４ａにより阻止されるので、ヒンジ軸６１が弾性爪６６と規制部６５との間から離脱することはない。また、支持部６４は、ヒンジ軸６１の周辺部と当接し、表示制御基板ケース５０の下降を阻止する。このように、ヒンジ軸６０、６１と上軸受６３及び下軸受６７とによって構成され、接離手段に該当するヒンジ機構部６８により、表示制御基板ケース５０が裏カバー部材４４に取付けられており、表示制御基板ケース５０はヒンジ軸６０、６１を軸として揺動可能である。
【００１７】
図５〜８、９、１１に示すように、表示制御基板ケース５０のヒンジ機構部６８と反対側の縦辺には、弾性爪７０が設けられており、図５〜７、９、１１に示すように、裏カバー部材４４には、弾性爪７０に対応する位置に操作用凹部７１が設けられている。表示制御基板ケース５０をヒンジ軸６０、６１を軸として回動させて閉じ、裏カバー部材４４に押し込むと、弾性爪７０が操作用凹部７１の先端部に係止し、表示制御基板ケース５０が閉状態に保持される、一方、閉状態にあるときに操作用凹部７１に指等を差し込んで弾性爪７０を押すと、弾性爪７０の係止が解除され（図１１参照）、表示制御基板ケース５０をヒンジ軸６０、６１を軸として揺動させて開状態にできる。
【００１８】
図１３に示すように、表示制御基板５３のコネクタ７２には、ハーネス７３の一端が接続されており、その他端は表示基板７５のコネクタ７６に接続されている。なお、ハーネス７３の長さは、表示制御基板ケース５０を開閉するに十分な長さである。表示基板７５を収容し表示体保持手段に該当する表示体ケース７７は、図１２に示されるように、略長方形で上下に各２箇所のねじ止め用ボス部７８が設けられ、中央部には、窓８０が設けられている。
【００１９】
図１３に示すように、表示体ケース７７は、窓８０をセンター役物３４の表示窓８１に整合させ、ねじ止め用ボス部７８を貫通するビス８２によってセンター役物３４の背面側に取付けられている。表示体ケース７７及びセンター役物３４の一部は、機構盤本体４３に設けられている作業用開口部４３ａの内側にあり、裏カバー部材４４を開けるかまたは取り外せば、あるいは、表示制御基板ケース５０を取り外すか開状態にすれば、作業用開口部４３ａを通して表示体ケース７７を露出させることができる。
【００２０】
この表示体ケース７７の内部には、前述の表示基板７５、これに保持されるＬＥＤアレイ８３及びレンズアレイ８５からなる表示体３６が収容されている。図１４に示すように、レンズアレイ８５は、有色透明の球面レンズ８６を１６×１６のマトリクス配置したものが左右方向に沿って３組並べられて構成され、その枠部８７には、ねじ止め用ボス部８８が設けられている。
【００２１】
図１５に示すように、球面レンズ８６は、半球体を正方形に沿って切り落とした形状で、各球面レンズ８６の背後には、ＬＥＤアレイ８３を構成するＬＥＤ９０がそれぞれ１個ずつ配されている。こうした球面レンズ８６の形状により、ＬＥＤ９０から発された光は、球面レンズ８６の内部で分散されて表面８６ａ全体から外部に照射されるので、点からの光としてではなく面からの光として認識される。よって、互いに離間したＬＥＤ９０の間隔が解消されて光が連続し、ドットマトリクスによって表示される文字や図形等が明瞭になる。
【００２２】
図１３に示すように、表示体３６は、レンズアレイ８５のねじ止め用ボス部８８（４箇所）を貫通するビス９２によって表示体ケース７７の内面に取付けられている。
このパチンコ機２０においては、表示制御基板ケース５０をヒンジ機構部６８により揺動して閉状態及び開状態にでき、表示体ケース７７と表示制御基板ケース５０とを相対的に接近した状態と離間した状態とにできる。閉状態は弾性爪７０の係止にて保持され、操作用凹部７１に指等を差し込んで弾性爪７０を押すことで、弾性爪７０の係止を解除すれば、簡単に開状態にできる。その閉状態から開状態への変位は、ハーネス７３の長さが十分であることから、表示制御基板５３と表示体３６とを接続したままで行える。
【００２３】
また、裏カバー部材４４の開閉によっても、表示体ケース７７と表示制御基板ケース５０とを相対的に接近した状態と離間した状態とにできる。その開閉操作もロック機構４８の操作だけで簡単に行え、ハーネス７３の長さが十分であるから、表示制御基板５３と表示体３６とを接続したままで行える。
【００２４】
表示制御基板５３を交換するには、裏カバー部材４４を閉じたまま、弾性爪６６を弾性変形させて、ヒンジ軸６１を弾性爪６６と規制部６５との間から外し、次に、ヒンジ軸６０を上軸受６３から抜き取ることにより、表示制御基板ケース５０を裏カバー部材４４から分離して、表示制御基板５３を表示制御基板ケース５０ごと取り外す。または、ヒンジ４７ａ、４７ｂを軸として裏カバー部材４４を揺動させて開き、あるいは、機構盤本体４３の軸受４５ａ、４５ｂからヒンジ軸４６ａ、４６ｂを抜くことで裏カバー部材４４を機構盤本体４３から取り外し、内側カバー部５２を外側カバー部５１から分離して表示制御基板５３のみを取り外してもよい。
【００２５】
表示体３６を交換する際には、表示制御基板ケース５０を閉じたまま裏カバー部材４４を機構盤本体４３から取り外し、機構盤本体４３に設けられている作業用開口部４３ａを通して表示体ケース７７を露出させ、ビス８２を抜けば表示体ケース７７とともに表示体３６を取り外すことができるし、ビス９２を抜けば表示体３６を取り出すことができる。
【００２６】
また、本実施例のパチンコ機２０では、表示制御基板ケース５０をヒンジ機構部６８により揺動でき、表示制御基板ケース５０を閉状態としたときには、表示体ケース７７と表示制御基板ケース５０とを相対的に接近した状態として表示装置３５の外形をコンパクトにできる。
【００２７】
表示制御基板ケース５０を開状態としたときには、表示体ケース７７と表示制御基板ケース５０とを離間した状態とできるから、表示制御基板５３と表示体３６とを簡単に離間でき、しかも、その際に工具等を用いる必要もない。このため、例えば表示制御基板５３と表示体３６のいずれか一方のみを交換する場合の分離作業も、少ない作業工数で行うことができる。
【００２８】
さらに、内側カバー部５２が透明であるから表示制御基板５３の実装面の目視検査も、工具を用いずに簡単に行える。しかも、表示制御基板５３と表示体３６間に不正物品が介装されても容易に発見できる。
【００２９】
【実施例２】
実施例１が表示基板ケースを水平方向に沿って揺動可能としているのに対して、この実施例は、表示基板ケースを垂直方向に揺動可能とした例である。なお、弾球遊技機としてのパチンコ機本体、遊技盤、センター役物、裏機構盤等の構造は、ほぼ実施例１のパチンコ機２０と同様であるので、それらの説明は省略し、表示体を保持する表示体保持手段に該当する表示体ケース、表示制御基板を保持する表示制御基板保持手段に該当する表示制御基板ケース及び接離手段に該当するヒンジ機構部についてのみ詳述する。
【００３０】
図１６に示すように、表示体ケース１００は、窓１０１を備えており、その窓１０１内に表示体１０２（図１８参照）のレンズアレイ１０３が露呈されている。レンズアレイ１０３は、実施例１のレンズアレイ８５（図１４、１５参照）と同様に、有色透明の球面レンズを１６×１６のマトリクス配置したものが左右方向に沿って３組並べられて構成されている。
【００３１】
図１８に示すように、表示体１０２は、レンズアレイ１０３、実施例１と同様にレンズアレイ１０３の背後に配されたＬＥＤアレイ１０５及び表示基板１０６から構成されており、レンズアレイ１０３の枠部１０７に設けられているねじ止め用ボス部１０８を貫通するビス１１０によって表示体ケース１００の内部に取付けられている。
【００３２】
図１６〜１９及び２２に示すように、表示体ケース１００には、４箇所のねじ止め用ボス部１１１が設けられており、実施例１と同様に、これらのねじ止め用ボス部１１１を貫通するビスによってセンター役物の背後に取付けられている。表示体ケース１００の上面には、第１のストッパ１１２が立設され、図１７、１９〜２２に示すように、表示体ケース１００の背面下部には、第２のストッパ１１３が設けられている。
【００３３】
図１６、１７、１９〜２２に示すように、表示体ケース１００の両側面からは一対の腕部１１５が延出されている。これら腕部１１５の先端内側には、円柱状の突起１１６が設けられている。
図１７、１９、２０、２２に示すように、突起１１６は、表示制御基板ケース１１７の軸受部１１８のスライド溝１２０に遊嵌している。スライド溝１２０はＵ字状の周壁１２１と係止用凸部１２２とによって囲まれており、軸受部１１８は、突起１１６がスライド溝１２０の内部で移動できる範囲で相対位置を変化可能であり、また、突起１１６を中心にして回転変位できる。そして、突起１１６と軸受部１１８とにより、接離手段に該当するヒンジ機構部１２３が構成されている。なお、腕部１１５を外側に弾性変形させて、突起１１６に係止用凸部１２２を乗り越えさせれば、突起１１６をスライド溝１２０から離脱させて、突起１１６と軸受部１１８（すなわち表示体ケース１００と表示制御基板ケース１１７）とを分離できる。また、分離している突起１１６と軸受部１１８（すなわち表示体ケース１００と表示制御基板ケース１１７）とを連結するには、係止用凸部１２２の斜面側を突起１１６に押し付けるようにすれば、腕部１１５が外側に弾性変形し、突起１１６が係止用凸部１２２を乗り越えてスライド溝１２０に入るので、突起１１６と軸受部１１８とを係合状態にできる。
【００３４】
図１７〜１９、２２に示すように、表示制御基板ケース１１７は、外ケース１２５と内ケース１２６とからなり、外ケース１２５と内ケース１２６とは、それぞれに設けられている連結用ボス部１２７、１２８に挿通されたビス１３０を介して連結されている。また、図１７、１９、２２に示すように、外ケース１２５には、背面から突出する第３のストッパ１３１と側面から突出する第４のストッパ１３２とが設けられている。
【００３５】
図１８、２０、２１に示すように、表示制御基板ケース１１７の内部には、外ケース１２５に固定されて表示制御基板１３３が収容されている。表示制御基板１３３には、複数のコネクタ１３５が取付けられており、各コネクタ１３５は、ハーネス１３６を介して表示基板１０６のコネクタ１３７に接続されている。つまり、ハーネス１３６によって表示制御基板１３３と表示基板１０６とが接続されている。ハーネス１３６の長さは、その操作については後述するが、表示体ケース１００と表示制御基板ケース１１７とを分離したり、ヒンジ機構部１２３により表示制御基板ケース１１７を揺動させるに十分な長さである。
【００３６】
表示体ケース１００と表示制御基板ケース１１７とを連結するには、図１９に示されるように、表示制御基板ケース１１７を表示体ケース１００に対して垂直となる姿勢に倒し、前述のように係止用凸部１２２の斜面側を突起１１６に押し付けるようにして腕部１１５を外側に弾性変形させ、突起１１６をスライド溝１２０に入れればよい。
【００３７】
表示体ケース１００と表示制御基板ケース１１７とを連結状態として、突起１１６が係止用凸部１２２側にあるときには、突起１１６を軸として表示制御基板ケース１１７を揺動できる。その揺動範囲は、第３のストッパ１３１が第２のストッパ１１３に接触し第４のストッパ１３２が腕部１１５の下面に接触する倒伏位置（図１９参照）と、表示制御基板ケース１１７の内ケース１２６が第１のストッパ１１２に接触する起立位置（図２２参照）との間となる。
【００３８】
表示制御基板ケース１１７を内ケース１２６の第１のストッパ１１２に接した起立状態とした際、第１のストッパ１１２の凸部１１２ａの存在により、表示制御基板ケース１１７は傾斜姿勢（図２２に２点鎖線で示す状態（矢印基端側に図示））をとる。この状態から表示制御基板ケース１１７をスライド溝１２０を利用して、内ケース１２６が第１のストッパ１１２の突起を通過するよう下動させることにより、図１７、１８に示すように、表示制御基板ケース１１７を表示体ケース１００と正対させることが可能となる。表示制御基板ケース１１７の位置を取付け位置とする場合には、このように表示制御基板ケース１１７が表示体ケース１００に正対させられる。
【００３９】
この取付位置では、表示制御基板ケース１１７の重心が回転中心よりも上方に位置するため、内ケース１２６が表示体ケース１００の背面に接触し、また、内ケース１２６の下部が第２のストッパ１１３に接触し、表示制御基板ケース１１７の起立姿勢が保持される。通常の使用状態では、表示制御基板ケース１１７は、この取付位置とされている。なお、第１のストッパ１１２は表示制御基板ケース１１７の上方への変位をも規制している。
【００４０】
一方、取付位置にある表示制御基板ケース１１７を引き上げて突起１１６を係止用凸部１２２側にすれば、図２２に示されるように、表示制御基板ケース１１７を倒伏位置側に揺動させることができ、表示制御基板ケース１１７を、例えば倒伏位置にして表示体ケース１００の背後の点検等を行える。
【００４１】
そして、表示制御基板ケース１１７を倒伏位置にして、腕部１１５を外側に弾性変形させながら、表示制御基板ケース１１７を図１９における右方向に引っ張れば、突起１１６が係止用凸部１２２を乗り越えて、表示制御基板ケース１１７が表示体ケース１００から分離される。
【００４２】
表示制御基板ケース１１７を表示体ケース１００から分離して、表示制御基板ケース１１７を開放すれば、表示制御基板１３３を取り出して交換することができる。もちろん、表示制御基板ケース１１７ともども表示制御基板１３３を交換してもよい。また、表示制御基板ケース１１７を表示体ケース１００から分離すれば、表示体ケース１００から表示体１０２を取り外して交換することができるし、表示体ケース１００ごと表示体１０２を交換することもできる。
【００４３】
なお、ヒンジ機構部１２３においては、突起１１６がスライド溝１２０に遊嵌されているので（がたつきがあるので）、上述の表示制御基板ケース１１７の揺動や突起１１６をスライド溝１２０内で相対移動させる操作が容易であり、また、表示制御基板ケース１１７と表示体ケース１００との間で湾曲したハーネス１３６から受ける力を吸収することができる。
【００４４】
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例１のパチンコ機の正面図である。
【図２】  実施例１のパチンコ機の遊技盤の正面図である。
【図３】  実施例１のパチンコ機の遊技盤に装着されているセンター役物の正面図である。
【図４】  実施例１のパチンコ機の背面図である。
【図５】  実施例１の裏カバー部材及び表示制御基板ケースの背面図である。
【図６】  図５のＢ−Ｂ断面図である。
【図７】  実施例１の裏カバー部材の開閉の説明図である。
【図８】  実施例１の表示制御基板ケースの分解斜視図である。
【図９】  実施例１の表示制御基板ケースを開いた状態の裏カバー部材及び表示制御基板ケースの開状態を示す斜視図である。
【図１０】  実施例１のヒンジ機構部を説明する拡大斜視図である。
【図１１】  実施例１の表示制御基板ケースの開閉の説明図である。
【図１２】  実施例１の表示体ケースの正面図である。
【図１３】  図３のＡ−Ａ断面の要部及びその周辺を示す拡大図である。
【図１４】  実施例１の表示体のレンズアレイの正面図である。
【図１５】  実施例１の表示体の球面レンズによるＬＥＤの光の形状変換の作用説明図である。
【図１６】  実施例２において表示制御基板ケースが取付位置にあるときの表示体ケース側の正面図である。
【図１７】  実施例２において表示制御基板ケースが取付位置にあるときの表示体ケース及び表示制御基板ケースの側面図である。
【図１８】  図１６のＣ−Ｃ断面図である。
【図１９】  実施例２において表示制御基板ケースが倒伏位置にあるときの表示体ケース及び表示制御基板ケースの側面図である。
【図２０】  図１９のＤ−Ｄ断面図である。
【図２１】  表示制御基板ケースと表示体ケースとを分離した状態の図１９のＤ−Ｄ断面に相当する断面図である。
【図２２】  表示制御基板ケースの揺動変位の説明図である。
【符号の説明】
２０…パチンコ機（弾球遊技機）、２４…遊技盤、３１…カードリーダユニット、３３…遊技領域、３４…センター役物、３５…表示装置、３６…表示体、４２…裏機構盤、４３…機構盤本体、４３ａ…作業用開口部、４４…裏カバー部材、４８…ロック機構、５０…表示制御基板ケース（表示制御基板保持手段）、５１…外側カバー部、５２…内側カバー部、５３…表示制御基板、５８…軸保持部、６０…ヒンジ軸、６１…ヒンジ軸、６３…上軸受、６４…支持部、６５…規制部、６６…弾性爪、６７…下軸受、６８…ヒンジ機構部（接離手段）、７０…弾性爪、７１…操作用凹部、７２…コネクタ、７３…ハーネス、７５…表示基板、７６…コネクタ、７７…表示体ケース（表示体保持手段）、８３…ＬＥＤアレイ、８５…レンズアレイ、
１００…表示体ケース（表示体保持手段）、１０２…表示体、１０３…レンズアレイ、１０５…ＬＥＤアレイ、１０６…表示基板、１１２…第１のストッパ、１１３…第２のストッパ、１１５…腕部、１１６…突起、１１７…表示制御基板ケース（表示制御基板保持手段）、１１８…軸受部、１２０…スライド溝、１２１…周壁、１２２…係止用凸部、１２３…ヒンジ機構部（接離手段）、１２５…外ケース、１２６…内ケース、１３１…第３のストッパ、１３２…第４のストッパ、１３３…表示制御基板、１３５…コネクタ、１３６…ハーネス、１３７…コネクタ。
【図１】
0004270333.tif 000002
【図２】
0004270333.tif 000003
【図３】
0004270333.tif 000004
【図４】
0004270333.tif 000005
【図５】
0004270333.tif 000006
【図６】
0004270333.tif 000007
【図７】
0004270333.tif 000008
【図８】
0004270333.tif 000009
【図９】
0004270333.tif 000010
【図１０】
0004270333.tif 000011
【図１１】
0004270333.tif 000012
【図１２】
0004270333.tif 000013
【図１３】
0004270333.tif 000014
【図１４】
0004270333.tif 000015
【図１５】
0004270333.tif 000016
【図１６】
0004270333.tif 000017
【図１７】
0004270333.tif 000018
【図１８】
0004270333.tif 000019
【図１９】
0004270333.tif 000020
【図２０】
0004270333.tif 000021
【図２１】
0004270333.tif 000022
【図２２】
0004270333.tif 000023